(57)【要約】  本開示の実施形態は、シェービングシステムに関する。シェービングシステムは、シェーバハンドル（１０）および１つ以上のセンサ（２０）を含み得る。１つ以上のセンサ（２０）は、ハンドル（１０）上のユーザの手を検出し、１つ以上のセンサ信号を生成するように構成されてもよい。システムはまた、１つ以上のセンサ（２０）に動作可能に結合され、１つ以上のセンサ信号を分析してハンドル（１０）上のユーザの手のグリップを判定するための少なくとも１つのアルゴリズムを保存するプロセッサを含んでもよい。それらのシステムは、プロセッサに動作可能に結合されたインジケータをさらに含み、インジケータは、シェービングセッション中のユーザのグリップに少なくとも部分的に基づいて、ユーザにフィードバックまたは推奨の少なくとも一方を提供するように構成され得る。【選択図】図１
2020527061.tif 000002
【特許請求の範囲】
【請求項１】
シェービングシステムであって、
シェーバハンドル（１０）および１つ以上のセンサ（２０）であって、前記１つ以上のセンサ（２０）が、前記ハンドル上のユーザの手を検出し、１つ以上のセンサ信号を生成するように構成されている、シェーバハンドル（１０）および１つ以上のセンサ（２０）と、
前記１つ以上のセンサ（２０）に動作可能に結合され、前記１つ以上のセンサ信号を分析して前記ハンドル（１０）上の前記ユーザの手のグリップを判定するための少なくとも１つのアルゴリズムを格納するプロセッサと、
前記プロセッサに動作可能に結合されたインジケータであって、シェービングセッション中の前記ユーザの前記グリップに少なくとも部分的に基づいて、フィードバックまたは推奨の少なくとも一方を前記ユーザに提供するように構成された、インジケータと、を備えるシェービングシステム。
【請求項２】
前記一つ以上のセンサ（２０）は、１つ以上の圧電センサ、圧力センサ、温度センサ、光センサ、およびコンダクタンスセンサを含む、請求項１に記載のシステム。
【請求項３】
前記推奨は、前記ユーザが後続のシェービングセッション中に使用するためのハンドル（１０）の種類、シェーバ（１００）の種類、かみそりカートリッジ（２００）の種類、またはブレード（１０９）の種類のうちの少なくとも１つを含む、請求項１または２に記載のシステム。
【請求項４】
前記プロセッサまたは前記インジケータの少なくとも一方が、電話またはコンピュータのいずれかに配置されている、請求項１〜３のいずれか一項に記載のシステム。
【請求項５】
前記シェーバは、前記ハンドル（１０）上に配置された２つ以上のセンサ（２０）を含む、請求項１〜４のいずれか一項に記載のシステム。
【請求項６】
前記ハンドル（１０）は、取り外し可能なスリーブを含む、請求項１〜５のいずれか一項に記載のシステム。
【請求項７】
前記一つ以上のセンサ（２０）は、前記取り外し可能なスリーブ上に配置されている請求項６に記載のシステム。
【請求項８】
かみそりカートリッジ（２００）をさらに備え、前記１つ以上のセンサ（２０）のうちの少なくとも１つが、前記１つのカートリッジ（２００）上に配置されている、請求項１〜７のいずれか一項に記載のシステム。
【請求項９】
前記インジケータが、聴覚インジケータ、視覚インジケータ、または触覚インジケータのうちの少なくとも１つを含む、請求項１〜８のいずれか一項に記載のシステム。
【請求項１０】
ユーザの剃毛動作を判定する方法であって、
シェーバ（１００）上に配置された１つ以上のセンサ（２０）から前記剃毛動作を示す１つ以上の信号を受信することと、
前記１つ以上の信号を分析して、シェービングセッション中の前記ハンドル（１０）上の前記ユーザの手のグリップを判定することと、
前記シェービングセッション中の前記ユーザの手の前記グリップに基づいて、前記ユーザにフィードバックまたは推奨の少なくとも一方を提供することと、を含む方法。
【請求項１１】
前記フィードバックまたは前記推奨の少なくとも一方を提供することがディスプレイ上に視覚的なフィードバックを提供することを含む、請求項１０に記載の方法。
【請求項１２】
前記１つ以上の信号を分析することが、前記ユーザによって入力された情報と組み合わせて、前記１つ以上の信号を評価することを含む、請求項１０または１１に記載の方法。
【請求項１３】
前記シェーバ（１００）上に配置された前記１つ以上のセンサ（２０）を使用して前記１つ以上の信号を生成することと、
前記１つ以上の信号を、前記１つ以上のセンサ（２０）に動作可能に結合され、前記１つ以上の信号を分析するための少なくとも１つのアルゴリズムを格納するプロセッサに送信することと、をさらに含む、請求項１０〜１２のいずれか一項に記載の方法。
【請求項１４】
ユーザの動作を判定する方法であって、
シェーバ（１００）上に配置された複数のセンサ（２０）によって生成された複数の信号を分析することと、
前記複数の信号に基づいて前記ユーザのグリップを判定することと、
前記ユーザによって使用された前記グリップに基づいて、フィードバックまたは推奨の少なくとも一方を生成することと、
前記ユーザに前記フィードバックまたは前記推奨を提供することと、を含む方法。
【請求項１５】
前記分析するステップが、前記ユーザによって提供された情報と組み合わせて、前記複数の信号を分析することをさらに含む、請求項１４に記載の方法。
【請求項１６】
前記推奨は、前記ユーザが後続のシェービングセッション中に使用するハンドル（１０）の種類、シェーバ（１００）の種類、かみそりカートリッジの種類（２００）、またはブレードの種類（１０９）のうちの少なくとも１つを含む、請求項１０〜１５のいずれか一項に記載の方法。
【請求項１７】
前記フィードバックはシェービング効率、シェービングセッション中の動作、複数のシェービングセッションでの動作、将来のシェービングセッションの動作のヒント、および推奨製品が、前記ユーザの剃毛体験および／または結果を改善できる方法のうちの少なくとも１つを含む、請求項１０〜１６のいずれか一項に記載の方法。
【請求項１８】
シェーバ（１００）上に配置された前記複数のセンサ（２０）を使用して前記複数の信号を生成することと、
前記複数の信号を、前記複数のセンサ（２０）に動作可能に結合され、前記複数の信号を分析するための少なくとも１つのアルゴリズムを格納するプロセッサに送信することと、をさらに含む、請求項１６〜１９のいずれか一項に記載の方法。
【発明の詳細な説明】
【技術分野】
【０００１】
関連出願の相互参照
本出願は、２０１７年７月２０日に出願された米国仮特許出願第６２／５３４，７５８号の利益を主張し、その開示はその全体が参照により本明細書に組み込まれる。
【０００２】
本開示の態様は、概して、シェービング技術に関し、具体的には、決定された把持動作に基づいて、ユーザの把持行動を決定するためのセンサを備えたシェーバの実施形態、およびカスタマイズされた剃毛体験を提供する方法に関する（例えば、グリップの変更またはハンドル構成に関する推奨を介して）。
【背景技術】
【０００３】
シェーバは、一般に、ハンドルと、本明細書では遠位端と呼ばれるハンドルの一端に解放可能に取り付けられたかみそりカートリッジを含む。かみそりカートリッジは、体毛を剃るための少なくとも一つのブレードを含む。ユーザは、ハンドルを保持し、体の表面から体毛が除去されるまで、剃られるべき体の領域、例えば顔を横切ってかみそりを繰り返し移動させる。剃毛は多くの人々の衛生管理の日常的な部分であり得るが、人々は使用されるシェービング技術で異なる場合がある。一部の人々は、異なる剃毛動作を示す場合があり、たとえば、シェーバをさまざまな方法でつかむことができる。ユーザは、シェーバのさまざまな部分に異なる圧力を加えることができる（圧力が加えられる場所に関してだけでなく、圧力の大きさに関しても）。剃毛動作のこれらの違いは、シェービングセッションまたは剃毛体験の結果に影響する場合がある。
【０００４】
前述の一般的な説明と以下の詳細な説明の両方は、例示的かつ説明的なものにすぎず、特許請求される特徴を制限するものではない。本明細書で使用される用語「含む（ｃｏｍｐｒｉｓｅｓ）」、「含んでいる（ｃｏｍｐｒｉｓｉｎｇ）」、またはその他の変形は、要素の列記を含むプロセス、方法、物品、または装置がそれらのみを含まないように、非排他的な包含を網羅することを意図するが、明示的に列記されていないか、そのようなプロセス、方法、物品、または装置に固有のものではない他の要素を含めることができる。さらに、「例示的」という用語は、「理想」ではなく「例」の意味で本明細書でにおいて使用される。本明細書で開示または請求されるすべての数値（すべての開示値、制限、および範囲を含む）は、開示された数値から＋／−１０％の変動（異なる変動が指定されない限り）を有することができることに留意されたい。さらに、クレームでは、値、制限、および／または範囲は、値、制限、および／または範囲＋／−１０％を意味する。
【発明の概要】
【０００５】
本開示の実施形態は、シェービングシステムに関する。シェービングシステムは、シェーバハンドルと１つ以上のセンサを含んでもよい。１つ以上のセンサは、ハンドル上のユーザの手を検出し、１つ以上のセンサ信号を生成するように構成されてもよい。システムは、１つ以上のセンサに動作可能に結合され、ハンドル上のユーザの手のグリップを判定するために１つ以上のセンサ信号を分析するための少なくとも１つのアルゴリズムを格納するプロセッサも含み得る。それらのシステムは、プロセッサに動作可能に結合されたインジケータをさらに含み、インジケータは、シェービングセッション中のユーザのグリップに少なくとも部分的に基づいて、ユーザにフィードバックまたは推奨の少なくとも一方を提供するように構成され得る。
【０００６】
システムの様々な実施形態は、以下の特徴のうちの１つ以上を含み得る。１つ以上のセンサは、１つ以上の圧電センサ、圧力センサ、温度センサ、光センサ、およびコンダクタンスセンサを含み得る。推奨は、ハンドルの種類、シェーバの種類、かみそりカートリッジの種類、またはユーザが後続のシェービングセッション中に使用するブレードの種類の少なくとも１つを含むことができる。プロセッサまたはインジケータの少なくとも１方は、電話またはコンピュータのいずれかに配置できる。シェーバは、ハンドル上に配置された２つ以上のセンサを含んでもよい。ハンドルは取り外し可能なスリーブを含んでもよい。１つ以上のセンサは、取り外し可能なスリーブに配置されてもよい。システムは、かみそりカートリッジも含むことができ、ここで、１つ以上のセンサのうちの少なくとも１つは、１つのカートリッジ上に配置される。インジケータは、聴覚インジケータ、視覚インジケータ、または触覚インジケータのうちの少なくとも１つを含んでもよい。
【０００７】
本開示の実施形態は、ユーザの剃毛動作を決定する方法にも向けられている。この方法は、シェーバに配置された１つ以上のセンサから剃毛動作を示す１つ以上の信号を受信することを含み得る。この方法はまた、１つ以上の信号を分析して、シェービングセッション中にハンドル上のユーザの手のグリップを判定することを含み得る。この方法は、シェービングセッション中のユーザの手のグリップに基づいて、ユーザにフィードバックまたは推奨の少なくとも一方を提供することをさらに含み得る。
【０００８】
方法の様々な実施形態は、以下の特徴のうちの１つ以上を含み得る。フィードバックまたは推奨の少なくとも１つを提供することには、ディスプレイに視覚的なフィードバックを提供することが含まれる。１つ以上の信号を分析することは、ユーザにより入力された情報と組み合わせて１つ以上の信号を評価することを含み得る。推奨は、ハンドルの種類、シェーバの種類、かみそりカートリッジの種類、またはユーザが後続のシェービングセッション中に使用するブレードの種類の少なくとも１つを含むことができる。フィードバックには、シェービング効率、シェービングセッション中の動作、複数のシェービングセッションでの動作、将来のシェービングセッションの動作のヒント、および推奨製品がユーザの剃毛体験および／または結果を改善できる方法の少なくとも１つが含まれ得る。方法は、シェーバに配置された１つ以上のセンサを使用して１つ以上の信号を生成し、１つ以上のセンサに動作可能に結合され、１つ以上の信号を分析するための少なくとも１つのアルゴリズムを格納するプロセッサに１つ以上の信号を送信することをさらに含むことができる。
【０００９】
本開示の実施形態はまた、ユーザの行動を判定する方法に向けられてもよい。この方法は、シェーバに配置された複数のセンサによって生成された複数の信号を分析し、複数の信号に基づいてユーザのグリップを判定することを含んでもよい。この方法は、ユーザが使用したグリップに基づいてフィードバックまたは推奨の少なくとも一方を生成し、ユーザにフィードバックまたは推奨を提供することも含むことができる。
【００１０】
方法の様々な実施形態は、以下の特徴のうちの１つ以上を含み得る。分析するステップは、ユーザによって提供された情報と組み合わせて複数の信号を分析することをさらに含むことができる。推奨は、ハンドルの種類、シェーバの種類、かみそりカートリッジの種類、またはユーザが後続のシェービングセッション中に使用するブレードの種類の少なくとも１つを含むことができる。フィードバックには、シェービング効率、シェービングセッション中の動作、複数のシェービングセッションでの動作、将来のシェービングセッションの動作のヒント、および推奨製品がユーザの剃毛体験および／または結果を改善できる方法の少なくとも１つが含まれ得る。方法は、シェーバに配置された複数のセンサを使用して複数の信号を生成し、複数のセンサに動作可能に結合され、複数の信号を分析するための少なくとも１つのアルゴリズムを格納するプロセッサに複数の信号を送信することをさらに含んでもよい。
【図面の簡単な説明】
【００１１】
本明細書に組み込まれ、その一部を構成する添付の図面は、開示された実施形態を示し、説明とともに、本開示の実施形態の原理を説明するのに役立つ。本明細書には多くの態様および実施形態が記載されている。当業者は、特定の態様または実施形態の特徴を、本開示で説明する他の態様または実施形態のいずれかまたはすべての特徴と併せて使用できることを容易に認識するであろう。図面において、
【００１２】
【図１】図１は、本開示の様々な実施形態による例示的なシェービング装置を示す。
【００１３】
【図２−１】図２Ａは、本開示の様々な実施形態による、図２Ｂから図２Ｍのグリップを説明するための参照番号を指に提供する。
【００１４】
【図２−２】図２Ｂ〜図２Ｍは、例示的なシェービング装置がユーザによってどのように把持され得るかを示し、本開示の様々な実施形態による、例示的なシェービング装置の斜視図を示す図２Ｂ、図２Ｄ、図２Ｆ、図２Ｈ、図２Ｊ、および図２Ｌは、対応する鏡面反射である。
【図２−３】同上。
【図２−４】同上。
【００１５】
【図３】図３は、本開示の様々な実施形態による、例示的なシェービング方法を描写するフローチャートである。
【００１６】
【図４】図４は、本開示の様々な実施形態による、別の例示的なシェービング方法を描写するフローチャートである。
【発明を実施するための形態】
【００１７】
次に、以下に説明され、添付の図面に示される本開示の例示的な実施形態を詳細に参照する。可能な限り、同じまたは同様の部品を指すために、図面全体を通して同じ参照番号が使用される。
【００１８】
本実施形態のさらなる目的および利点は、以下の説明に部分的に記載され、そして部分的にはその説明から明らかになり、または本実施形態の実施によって習得され得る。前述の一般的な説明および以下の詳細な説明の両方は、例示的かつ説明的なものにすぎず、特許請求の範囲を制限するものではないことを理解されたい。
【００１９】
本開示の実施形態を使用して、ユーザの剃毛動作を判定し、より良いシェービング選択を促進して、ユーザにとってより効率的で楽しい剃毛体験を作成することができる。例えば、本開示の態様は、効率的なシェービング技術および／または改善された剃毛体験を容易にし、かつ促進するためのシステムおよび方法を含む。本開示の実施形態は、使用するシェービング製品の種類および／またはユーザの剃毛習慣を変更する方法に関するフィードバックおよび／または推奨をユーザに提供するシステムおよび方法も含む。例えば、本開示の態様は、ハンドル、かみそりカートリッジ、またはシェーバのブレードのうちの１つ以上の表面内に埋め込まれるか、またはその上に配置され、ユーザがどのように握ってシェーバを処理するかを検出するように構成された１つ以上のセンサを含み得る。
【００２０】
図１は、例示的なシェーバ１００を描いている。シェーバ１００は、ハンドル１０と、少なくとも１つのブレード１０９を有するかみそりカートリッジ２００とを含む。かみそりカートリッジ２００は、ハンドル１０に取り外し可能に固定されてもよい。シェーバ１００は、シェービングセッション中にシェーバ１００および／またはユーザに関する情報を収集するように構成された１つ以上のセンサ２０も含むことができる。例えば、センサ２０は、ユーザの把持動作と、シェービングセッション中にユーザがシェーバ１０とどのように対話するかを検出するように構成されてもよい。
【００２１】
いくつかの一般的な例示的な把持動作が、図２Ｂ〜図２Ｍに示されている。図２Ａは、図に示されている把持動作を説明するための参照を提供する。参照番号１はシェーバ１００の親指の位置を示し、参照番号２はシェーバ１００の人差し指の位置を示し、参照番号３はシェーバ１００の中指の位置を示し、参照番号４はシェーバ１００の薬指の位置を示し、かつ参照番号５は、シェーバ１００の小指の位置を示す。図２Ｂ、図２Ｄ、図２Ｆ、図２Ｈ、図２Ｊ、および図２Ｌでは、シェーバ１００のハンドル１０も反射１０’で示されており、ユーザがハンドル１０の下の領域を握る可能性のある場所を描写して、そうでなければ視界から隠され得るシェーバ１０の一部を示す。さらに、図２Ｃ、図２Ｅ、図２Ｇ、図２Ｉ、図２Ｋ、および図２Ｍは、ユーザがシェーバ１００を右手で保持する方法を示しているが、ユーザは、同様の方法でシェーバ１００を彼または彼女の左手に持つことができることが認められている。説明の目的で、ユーザが左手でシェーバ１００を保持するとき、位置は、右手の図２Ｃ、図２Ｅ、図２Ｇ、図２Ｉ、図２Ｋ、および図２Ｍに示される位置の鏡像のように見ることができる。
【００２２】
図２Ｂおよび図２Ｃは、本明細書でペングリップと呼ばれる例示的なシェーバ把持位置を示す。このグリップでは、図２Ｂに示すように、ユーザは、ハンドル１０の側部領域に親指でハンドル１０を保持し、人差し指の指先がハンドル１０の上部中央領域にあり、中指の一部が親指の反対側の側部領域に接触している。親指、人差し指、および親指は、ハンドル１０の遠位領域にある。薬指と小指は、ハンドル１０の近位下側領域に触れる場合がある。ハンドル１０を保持しているユーザの手２４は、図２Ｃのペングリップに示されている。
【００２３】
図２Ｄおよび図２Ｅは、本明細書でピンサーグリップと呼ばれる例示的なシェーバ把持位置を示す。ピンサーグリップでは、ユーザが親指と人差し指をハンドル１０の遠位部分の両側に置く。図２Ｄの反射１０’に示すように、中指、薬指、小指が、ハンドル１０のより近位の下側領域に沿ってこの順序で配置されている。図２Ｅの手２４は、ピンサーグリップでハンドル１０を保持しているのが示されている。
【００２４】
図２Ｆおよび図２Ｇは、ユーザがシェーバ１００のハンドル１０をフルートグリップと呼ばれるもので保持する方法を示している。このグリップでは、図２Ｆに示されるように、ユーザはハンドル１０の下側に親指を置き、人差し指、中指、薬指、および小指をハンドル１０の上部に沿ってハンドル１０の遠位端から近位端におくことができる。図２Ｇは、フルートグリップでハンドル１０を保持する手２４を示す。
【００２５】
図２Ｈおよび図２Ｉは、ユーザがシェーバ１００のハンドル１０をスプーングリップで保持する方法を示している。図２Ｈに示すように、ユーザは、ハンドル１０の下側領域で、反射１０’に示すように近位端近くで、親指と人差し指に接触し、ハンドル１０の上部領域に沿って中指の一部に接触することができる。図２Ｉのハンドル１０を保持する手２４の描写によって示されるように、ユーザは、シェーバ１００の１つ以上のブレードが小指から離れて面するようにハンドル１０を保持してもよい。この向きは、例えば、ユーザの頭頂部に向かって移動する方向にシェービングするとき、またはそうでなければ体毛と逆方向のときに、ユーザが利用することができる。
【００２６】
図２Ｊおよび図２Ｋは、ショベルグリップと呼ばれるものを使用する場合、ユーザがハンドル１０を保持する方法を示している。図２Ｊに示されるように、ユーザは、小指、薬指、中指、人差し指がハンドル１０の遠位領域からハンドル１０の近位領域までハンドル１０の上部領域に沿って一列に配置されるようにハンドル１０を保持してもよい。ユーザの親指は、ハンドル１０の下側の近位領域に置くことができる。スプーングリップと同様に、シャベルグリップは、ユーザの頭頂部に向かう方向に、または体毛の向きに反する方向に剃るときに利用できる。図２Ｋのショベルグリップでハンドル１０を保持しているユーザの手２４が示されている。
【００２７】
図２Ｌおよび図２Ｍでは、フェザーグリップと呼ばれるグリップが描かれている。図２Ｌに示すように、ユーザは、ハンドル１０の下側の遠位領域に親指を置き、遠位端により近いハンドル１０の上部領域に中指を置くことができる。人差し指と薬指は、中指からわずかに後退したハンドル１０の反対側に置かれてもよい。図２Ｍは、フェザーグリップでハンドル１０を保持する手２４を示す。
【００２８】
６つの異なる例示的なグリップ位置が図２Ｂから図２Ｍに示されているが、ユーザは他のグリップ位置を利用することができる。また、例えば、身体の異なる領域を剃るとき、および／またはシェービングストロークの方向を変えるとき、単一のシェービングセッション中に、ユーザが異なるグリップ位置に切り替えることが可能である。
【００２９】
上記で示唆したように、シェーバ１００は、シェービングセッション中にユーザによって利用される１つ以上のグリップを検出するための１つ以上のセンサ２０を含み得る。センサ２０を使用して、例えばユーザの手によってハンドル１０に加えられた力を検出することができる。例示的なセンサは、１つ以上の圧電センサ、圧力センサ、温度センサ、光センサ、および／またはコンダクタンスセンサを含み得る。例えば、圧電センサ、圧力センサ、および／またはコンダクタンスセンサを使用して、ユーザの手がハンドル１０に接触する場所、ユーザの把持位置、および／またはユーザがシェービングセッション中にハンドルに加える力を検出できる。温度センサは、ユーザの手がハンドル１０にどれだけ近いか、および／またはユーザがハンドル１０をどれだけ強くまたは緩く握っているかを検出するために使用できる（例えば、手を固く握りしめた筋肉は、緩い、力を抜いた手より多く熱を発する）。光センサを使用して、ハンドル１０のどの部分がユーザの手で覆われているか、または空間内のシェーバ１００の相対的な向き（たとえば、ユーザが剃毛中にシェーバ１００を自分の体の周りで操作するときの光源に対して）を判定することができる。いくつかの態様では、センサの種類に関係なく、センサ２０はハンドル１０の実質的な全体を覆うことができる。
【００３０】
いくつかの実施形態では、１つ以上のセンサ２０はまた、ユーザによって開始されるシェービングストロークの速度または種類、ハンドル１０を握っている間のユーザの手の皮膚ｐＨ、および／または滑りやすい効果（すなわち、どれだけシェーバのハンドルが剃毛時にユーザの手の中で滑ることがあるか）を検出するように構成されてもよい。。これらの特性の１つ以上を測定するための適切なセンサには、例えば、圧電センサ、圧力センサ、またはコンダクタンスセンサ（上記）、および／またはｐＨセンサ、加速度計、および／またはジャイロスコープ、またはそれらの任意の適切な数または組み合わせが含まれ得る。
【００３１】
ハンドル１０上の１つ以上のセンサ２０は同じ種類のセンサであってもよく、かつ／またはハンドル１０は異なる種類のセンサ２０を含んでもよい。上記のパラメータの１つ以上を検出することにより、個々のセンサの種類またはセンサの種類の組み合わせは、たとえば、ユーザがシェーバ１００を握っている方法、ユーザがシェーバ１００に加えている圧力の量、（および力の位置および方向）ユーザがハンドル１０に加える力、ハンドル１０上のユーザの握りの硬さ、および／または一般に、シェービングセッションを通してユーザの手がシェーバ１００と相互作用する方法についての情報を提供することができる。
【００３２】
異なる種類のセンサの組み合わせを使用すると、より正確な情報が利用できる場合がある。たとえば、２つ以上の異なるセンサの種類を使用して、各センサで検出された測定値を比較および／または相関させることができる。圧電センサは、例えば、光センサおよび／または温度センサとともに使用して、複数の情報を提供して、ユーザがどのようにシェーバ１００と相互作用しているかを判定することができる。
【００３３】
複数のシェービングセッションでのユーザのグリップに関する情報も検出および保存できる。この情報を分析して、使用傾向と動作を判定できる。たとえば、この情報を使用して、ユーザがシェーバ１００を通常どのように保持するか、たとえば、上記のグリップまたは他の例示的なグリップのいずれを複数のシェービングセッションにわたって使用するかを判定できる。いくつかの態様では、１つ以上のシェービングセッションから収集されたユーザに関する情報は、ユーザに配信するための好適なまたはそうでなければ適切なコンテンツ（たとえば、教育またはプロモーション情報またはビデオ）または商品（たとえば、シェーバハンドル、ブレード、シェービングクリームの種類、または他のシェービングアクセサリ）を以下にさらに説明されるように、例えば、ユーザのスマートフォンまたは他のコンピューティングデバイスにロードされた関連するモバイルアプリケーションを介して、識別することを支援できる。
【００３４】
ハンドル１０を保持するためにユーザが使用するグリップおよび／または他の情報を判定するために、１つ以上のセンサ２０をプロセッサに動作可能に結合することができる。例えば、プロセッサは、生のセンサデータを受信および分析するように構成されたソフトウェアおよび／または１つ以上のアルゴリズムを保存することができる。例示的なプロセッサの詳細も以下でさらに説明される。
【００３５】
シェーバ１００は、１つ以上の上述のセンサと、現在知られているかまたは将来開発される任意のセンサとを含み得る。加えて、各種類のセンサから利用可能な情報の種類の説明は、例示目的のみであり、上記の説明に限定されない。上記の説明に関係なく、同じまたは実質的に同様の情報を提供するように１つ以上のセンサを構成することができる。
【００３６】
１つ以上のセンサ２０は、ハンドル１０上、かみそりカートリッジ２００上、および／または１つ以上のブレード１０９上を含む、シェーバ１００の任意の適切な領域に配置されてもよい。いくつかの実施形態では、センサ２０は、ハンドル１０のすべてに沿って、またはハンドル１０の大部分に沿って配置されてもよい。センサ２０は、ハンドル１０の上側（すなわち、取り付けられたとき、かみそりカートリッジ２００の鋭利な側と反対側に面する側）、ハンドル１０の１つ以上の側に沿って、かつ／またはハンドル１０の下側（すなわち、取り付けられたとき、かみそりカートリッジ２００のブレード１０９の鋭利な部分と同じ方向に面する側）に位置し得る。いくつかの実施形態では、センサ２０は、ユーザにより把持される可能性がより高いハンドル１０の領域に集められていてもよい。例えば、図２Ｂから図２Ｍを観察するとき、ハンドル１０の近位および遠位領域に沿って、センサ２０の密度がより高くてもよい。センサ２０を高グリップ領域に配置することにより、ユーザが利用するグリップを判定するために、より少ないセンサ２０をハンドル１０に含める必要がある場合がある。
【００３７】
さらに、さまざまなサイズのセンサをハンドル１０に組み込むことができると考えられる。例えば、複数のより小さなセンサがハンドル１０に配置されてもよく、かつ／またはより少数のより大きなセンサがハンドル１０に含まれてもよい。いくつかの実施形態では、より大きなセンサを使用して、ユーザの手が接触する可能性が低いハンドル１０の領域を覆うことができ、一方、例えば、これらの高確率領域でより正確な情報をキャプチャできるようにより多くの小さなセンサを、ユーザの手が接触する可能性が高い領域で使用することができる。
【００３８】
センサ２０は、ユーザが圧力をかけることができるハンドル１０の領域に含めることができる。任意の適切な位置でシェーバ１００に任意の適切な数のセンサ２０を含めることができる。さらに、センサ２０は、シェーバ１００の表面に配置されてもよく、またはシェーバ１００内に埋め込まれてもよい。
【００３９】
いくつかの実施形態では、センサ２０はハンドル１０のみに含まれ、かみそりカートリッジ２００またはブレード１０９には含まれないが、他の実施形態では、センサ２０はハンドル１０に加えてシェーバ１００の一部に含まれてもよい。シェーバ１００のハンドルおよび／または他のコンポーネントに沿った異なる位置に複数のセンサ２０を含めることにより、シェーバ１００を保持するときにユーザが利用する傾向があるグリップに関するより多くの情報を提供することができる。
【００４０】
いくつかの実施形態において、センサ２０は、シェーバ１００に直接組み込まれるのではなく、シェーバ１００に着脱するように構成されたシェーバ１００とは別個の要素に含まれ得ることも考えられる。例えば、硬質または軟質のスリーブをハンドル１０に取り外し可能または永久的に結合することができる。いくつかの実施形態では、スリーブは、ハンドル１０の近位部分（すなわち、かみそりカートリッジ２００に対向する部分）を包み込むか、またはハンドル１０のすべてを包み、ハンドル１０を少なくとも部分的に取り囲むことができる。ユーザは、通常、ハンドル１０を保持するのと同じ方法で、ハンドル１０を囲むこのスリーブを保持してもよい。センサ２０をハンドル１０に組み込むのではなく、センサ２０は、様々な異なるハンドル１０に取り外し可能にはめ込むように構成されたスリーブに組み込むことができる。スリーブは、例えばゴムまたはプラスチックを含む、任意の適切な材料または材料の組み合わせで作られていてもよい。スリーブ内のセンサ２０は、ハンドル１０に直接組み込まれた上記のものと同じように動作し得る。このようにして、センサシステムは、様々な異なるシェーバ１００と交換可能に使用され得る。さらに、ユーザが利用するグリップに基づいてユーザに推奨が異なる種類のハンドル１０の取得を提案する場合、ユーザは現在のハンドルからスリーブを取り外し、新しい推奨ハンドル１０にスリーブを結合することができる。
【００４１】
１つ以上のセンサ２０（ハンドル１０および／または別のスリーブから）を使用して検出されたデータを分析して、人間工学的情報、たとえば、ハンドル１０の握り方を、ユーザが１つ以上のシェービングセッション中にグリップを変更するかどうか、グリップ時にユーザがハンドル１０に加える力または圧力の大きさなどを示すことができ、かつ／またはユーザのグリップ、使用するハンドルの種類、および／またはユーザの剃毛動作に関する利点ならびに／あるいは潜在的な問題を特定することができる。１つ以上のセンサ２０を使用して検出されたデータを分析して、加えられるシェービングストロークの速度および／または種類、ならびに／あるいはハンドル１０を握るときの皮膚のｐＨを示すこともできる。
【００４２】
いくつかの実施形態では、シェーバ１００によって検出されたデータは、シェービングセッションの前に取り込まれたユーザの画像またはユーザに関する情報と併せて分析され得る。たとえば、シェービングを行う前に、ユーザは自分のスマートフォンまたはコンピュータにアプリケーションをダウンロードしたり、インターネット経由でアプリケーションにアクセスしたりできる。アプリケーションは、剃毛する関連する身体部分の１つ以上の写真またはビデオを撮影またはアップロードするようにユーザに促す場合がある。ユーザの画像をキャプチャするために使用されるカメラデバイスは、スマートフォンまたはコンピュータに内蔵または接続されたカメラ、あるいは画像をダウンロードしてから、ハードまたはワイヤレス接続を介してアプリケーションにアップロードできる別のカメラである。
【００４３】
写真情報はデータベースに保存することができ、写真情報に基づいて、ユーザの顔の３次元（３Ｄ）モデルを生成することができる。いくつかの実施形態では、解剖学的特徴に対応する特定のランドマークおよび／またはデジタルフラッグポストが生成され得る。いくつかの実施形態では、撮影された身体領域は、剃毛領域に分割され得る。たとえば、ユーザは身体領域のどの領域を剃毛するかを定義できる。また、アプリケーションは、一般的にまたは特定のユーザの平均的な剃毛パターンを表す領域に画像を自動的に分割できる。ユーザが剃毛を行うと、ユーザにフィードバックを提供するために、グリップ情報を画像、３次元モデル、および／またはシェービング領域と併せて分析することができる。
【００４４】
以下でさらに説明するように、センサ２０によって検出されない追加情報、たとえば、ユーザの毛の種類、毛の太さ、剃毛の所望のレベルなどは、ユーザの剃毛動作を評価するためにセンサ２０からのユーザ画像および／またはデータと併せて考慮されてもよい。この情報などは、以下でさらに説明するように、シェービングセッションの前にユーザによって提供されます。
【００４５】
センサ２０によってキャプチャされたデータ、ユーザによってアップロードされた画像情報、および／またはユーザによって入力されたデータは、ユーザがシェーバ１００とどのように相互作用するかをおよび／または他の情報に基づいたユーザのグリップ動作の結果を判定するために、メモリに保存および／またはプロセッサによって分析され得る（例えば、グリップ位置、加えられる力、使用されるシェービング技術など）。いくつかの実施形態では、センサ２０からのデータは、受信したデータを分析してユーザがシェーバ１００をどのように扱うかを判定するように構成されたソフトウェアを備えたプロセッサを有するスマートフォンまたはコンピュータに送信され得る。プロセッサおよび／またはメモリは、シェービングシステムの任意のコンポーネント、たとえば、シェーバ１００、シェーバ１００のハンドル１０に結合するセンサ付きスリーブ、シェーバ１００に関連付けられたベース、スマートフォン、または、コンピュータ、およびシェービングシステムのコンポーネントが、分析のために、保存または検出されたデータをプロセッサに送信できることは、認められている。
【００４６】
このデータの分析（ユーザのハンドルグリップパターンなど）に基づいて、シェーバの種類またはハンドルの種類がユーザに推奨される場合がある。推奨シェーバまたはハンドルは、ユーザの好みのグリップ位置、ユーザがハンドル１０に加える力の量、および／またはユーザがハンドル１０に多少の力を加える場所での使用に適している場合がある。いくつかの態様では、カスタムハンドルまたはカスタムハンドルスリーブをユーザに推奨するか、カスタムハンドルまたはスリーブを生成または別の方法で製造するオプションをユーザに提供することができる。いくつかの実施形態では、ユーザの剃毛体験および／または剃毛結果を改善するための提案がユーザに提供されてもよい。
【００４７】
例えば、ユーザがかみそりカートリッジ２００の近くでシェーバの遠位端でハンドル１０を保持する傾向がある場合、かみそりカートリッジ２００内により多くのブレード１０９を有する種類のシェーバ１００がユーザに推奨され得る。ユーザがハンドル１０を側面に沿って保持する傾向がある場合、きれいな剃毛を達成するのに必要な圧力が少ないシェーバ１００が推奨され得る。場合によっては、ユーザの人差し指がシェーバ１００の上側にある場合、ユーザは一般にシェーバ１００により多くの圧力をかける傾向がある。ただし、ユーザの人差し指がシェーバ１００の側面にある場合、ユーザは一般にシェーバ１００にかかる圧力が小さくなる傾向がある。したがって、ユーザが頻繁に利用するグリップ位置は、どの種類のシェーバ、かみそりカートリッジ、および／またはブレードが、ユーザが効率的で楽しい剃毛を達成するのに比較的適しているかに影響を与える可能性がある。圧力フィードバックおよび／またはシェービングストロークの種類および／または速度に関するフィードバックも、ユーザに対する推奨に影響を与える可能性がある。
【００４８】
シェーバの種類および／またはシェーバハンドルの推奨の代わりに、またはそれに加えて、データを使用して、シェービングクリームまたはジェル、シェービングオイル、アフターシェーブ、保湿剤、ローション、および／またはブラシなど、他のシェービングアクセサリの推奨を提供することもできる。いくつかの態様では、ユーザがシェーバ１００を保持および／または使用する方法に基づいて、ブレードを交換する間の時間も推奨され得る。一部の態様では、分析されたデータに基づいて、ユーザが多少の圧力をかけたり、異なるグリップ種類を選択したり、特定のシェービングモーションまたはストロークを使用する（例えば、ストロークの方向、速度、長さなどを変更する）ことを推奨され得る。任意の適切なシェービングのヒントおよび／またはヒントの組み合わせをユーザに提供してもよい。
【００４９】
ユーザに対して適切なシェーバ１００および／または他のシェービングアクセサリを判定することは、シェーバ１００によって検出されない情報、例えば、ユーザが有する毛の種類、ユーザの所望のシェービングレベル（例えば、ユーザが無精ひげを残したいか、きれいに毛を剃りたいか、または特定の領域に毛を残したいかどうか）、および／またはユーザが現在利用しているシェーバ１００の種類を考慮してもよい。他の情報には、塗布されたされたクリームまたはジェルの種類、ユーザの剃毛履歴、ユーザの体の形状、ユーザの体の毛の密度、ブレード１０９の使用履歴（例えば、それらがどれだけ鋭いか新しいか）、ユーザが一般的に好むシェーバ１００の種類、ユーザの肌の特性（例えば、通常、乾燥、または敏感）、ユーザの年齢（これは、ユーザの肌の感度や毛の質に影響を与える可能性があり、またはユーザがハンドルを快適に保持する方法に影響を与える可能性がある）、または任意のその他の適切な情報もしくは情報の組み合わせが含まれてもよい。いくつかの態様では、ユーザの性別、ユーザまたはユーザの手のサイズ、ユーザが持つ可能性のある障害または負傷、ユーザの爪のスタイル（例えば、長いまたは短い）、またはその他の情報が、情報ハンドル１０でのユーザのグリップへの影響、および／またはユーザへのフィードバックおよび／または推奨への影響を判定するために分析されてもよい。以下でさらに説明するように、この情報の一部またはすべてをユーザが入力し、センサ２０からのデータとともに評価することができる。
【００５０】
いくつかの実施形態では、シェービング製品またはシェービング製品の組み合わせがユーザに推奨される場合、ユーザは推奨製品の一部またはすべてを注文するオプションを有してもよい。いくつかの態様では、推奨は将来の表示のためにメモリに保存され、推奨は電子メール、テキスト、メール、またはその他の方法でユーザまたはユーザの知人と共有される場合があり（例えば、ユーザのための可能性のある贈り物のアイデアとして）、商品はショッピングカートまたはショッピングウェブサイトのウィッシュリストに自動的に追加され、ユーザが商品を承認または返品するように自動的に配送される場合がある。いくつかの実施形態では、推奨製品および／または同様の製品のサンプルがユーザに配送されてもよい。カスタマイズされたハンドルまたはカスタマイズされたシェーバがユーザに推奨される場合、製造の準備のためにカスタマイズの仕様が会社に送信される場合がある。いくつかの態様では、ユーザは、メール、オンライン、またはユーザが利用するシェービングアプリケーションで、推奨製品の広告および／またはクーポンを見始める可能性がある。
【００５１】
いくつかの実施形態では、推奨は、ユーザの電話またはコンピュータにダウンロードされたアプリケーションを介して提供されてもよい。たとえば、ユーザは、剃毛の開始前、剃毛の間、および／または剃毛の開始の後にコンピュータまたはスマートフォンでアプリケーションを開くことができる。ユーザが剃毛を行うと、またはユーザの剃毛の後で、シェービングセッションに関する情報がセンサ２０によって生成されてかつ分析され、分析の結果がアプリケーションを介してユーザに表示され得る。いくつかの態様では、この情報は、ユーザによって元々提供された情報（たとえば、毛の種類、現在使用されているシェーバおよび／またはシェービングアクセサリの種類、ユーザの画像）で分析され得る。チャート、テキスト、色、ライト、写真、または他の適切な視覚補助は、たとえば、ハンドル１０でのユーザのグリップ、ユーザの手の位置がどのようにユーザの剃毛に栄光を与えるか、そのセッション中または多数のセッションでシェービング効率および／または動作、将来のシェービングセッションの動作のヒント、製品の推奨、および／または推奨製品がユーザの剃毛体験および／または結果を改善する方法を含む、にさまざまなシェービングフィードバックをユーザに提供できる。いくつかの実施形態では、アプリケーションは、視覚的なフィードバックの代わりに、または視覚的なフィードバックに加えて、聴覚フィードバックまたは触覚フィードバックを提供してもよい。
【００５２】
他のフィードバックがユーザに提供され得ることも考えられる。たとえば、シェーバ１００を保持する方法、シェービングストロークを減速または加速するかどうか、シェーバ１００で身体に近づく角度、手でシェーバ１００に加える圧力の程度および／または身体領域に加える圧力の程度、または他の適切なフィードバックもしくは提案されたシェービング技術などの剃毛のヒントがハンドル１０を握る方法に加えて、ユーザに提供されてもよい。この情報は、ユーザの剃毛体験を最適化し、より効率的かつ／または快適な剃毛体験をユーザに提供するのに役立ち得る。
【００５３】
このようにして、シェーバ１００、ハンドル１０、および／またはハンドル１０に連結するスリーブを使用することにより、ユーザの剃毛使用パターンに基づいて剃毛体験を改善する方法に関する最新のフィードバックをユーザに提供することができる。
【００５４】
シェーバ１００は、センサ２０に電力を供給するための使い捨てまたは再充電可能なバッテリを含むことができる。あるいは、シェーバ１００は、電源に接続するように構成されてもよい。いくつかの実施形態では、シェーバ１００、ハンドル１０、および／またはハンドル１０に嵌めるスリーブは、オン／オフスイッチ、ボタン、または使用前にユーザが係合するデバイスを有してもよい。他の実施形態では、シェーバ１００、ハンドル１０、および／またはハンドル１０に嵌めるスリーブは、例えば、ユーザによる移動または把持、あるいはシェーバ１００のスタンドまたはベースからの取り外しに応じて、自動オン機能を有し得る。
【００５５】
例示的なシェーバ１００は図３に示すように使用してもよい。当業者は、図３に示された方法の１つ以上のステップが、省略され得るか、または図３に示される順序でなく実行され得ることを認識するであろう。最初に、ユーザは、シェービングアプリケーションをスマートフォンまたはコンピュータにダウンロードできる（ステップ３００）。次に、ユーザは、ステップ３０１でユーザプロファイルを完成させることができる。ユーザプロファイルの完成には、一連の質問またはプロンプトへの回答が含まれる場合がある。ユーザプロファイル内の例示的な質問には、ユーザが持つ毛の種類に関する質問、ユーザの剃毛の所望のレベル（ユーザが、無精ひげを残したいか、きれいに毛を剃りたいか、または特定の領域に毛を残したいかどうか）、通常使用されるクリームまたはジェルの種類、ユーザの剃毛履歴、ユーザの体の形状、ユーザの体の毛の密度、ユーザのブレード１０９の使用履歴（たとえば、それらがどれだけ鋭いか新しいか）、ユーザが使用しているシェーバ１００の種類、ユーザの肌の特性（例えば、通常、乾燥、または敏感）、ユーザの年齢（ユーザの肌の感度や毛の質、またはユーザがシェーバ１００を快適に保持する方法に影響を与える場合がある）、あるいは任意のその他の適切な情報または情報の組み合わせが含まれ得る。ユーザは、ほくろ、こぶなどの「問題のある」領域をシステムに手動で入力することもできる。ユーザは、任意の適切な手段で情報を入力できる。たとえば、ユーザはシェービングアプリケーションに情報を入力するか、カメラを起動して、シェーバの種類および／またはシェーバのアクセサリのバーコードをスキャンできる。一部の態様では、ユーザは自分の写真をプロファイルの一部としてアップロードできる。ユーザは、たとえば質問に対する回答が時間とともに変化する場合など、アプリケーションに戻って後日回答を変更できる場合がある。例示的な方法では、ユーザがすでにアプリケーションをダウンロードしているか、既存のシェービングプロファイルを持っている場合、ステップ３００および／またはステップ３０１を省略してもよい。
【００５６】
ユーザプロファイルの情報および／または画像を完了すると、ユーザは、ステップ３０２で剃毛を開始することができる。上述のように、シェービングプロセス中、ユーザは、シェーバ１００のハンドル１０を保持および操作するために１つ以上のグリップを使用する傾向がある場合がある。ユーザが剃毛している間、センサ２０は、ユーザの動作、例えば、ユーザのグリップ、およびユーザがハンドル１０に加える圧力の量に関する情報を検出してもよい。
【００５７】
ユーザが剃毛を行った後、かつ／またはユーザが剃毛を行うと、ステップ３０３で、ユーザはシェーバ１００および／またはアプリケーションから、シェービングセッション中に使用されたグリップ、ハンドル１０に加えた力の量、剃毛中のシェーバ１００の速度および／または向き、あるいは任意の他の適切な剃毛動作に関するフィードバックを受信することができる。いくつかの態様では、シェーバ１００の種類および／またはシェービングセッションにユーザが利用したハンドル１０の種類に基づいて、ならびに／あるいは示された剃毛動作に基づいて、人間工学的利点または潜在的な人間工学的問題を特定することができる。フィードバックは、複数のシェービングセッションから収集された情報に基づいて提供されることもある。例えば、シェービングセッションにわたるユーザのグリップの変化、ユーザのシェービングセッションおよび／または剃毛結果が経時的にシェーバ１００および／または使用されるハンドル１０の変化に基づいてどのように改善されたか、使用される剃毛動作、ならびに／あるいは他の剃毛特性または経時的に使用されるアクセサリに関する情報に基づいてフィードバックが提供され得る。
【００５８】
ユーザは、ステップ３０４でシェービングセッション中に使用したグリップに基づいて推奨を受け取ることもできる。例えば、ユーザは、ハンドル１０を保持する別の方法、シェービングストロークの速度、位置、および／または長さの変更、ハンドル１０にユーザの手によって加えられる圧力の量の変更、かみそりカートリッジ２００および／またはブレード１０９を交換する頻度、ならびに／あるいは他の適切な動作変化に関する推奨を受け取ることがある。ユーザはまた、あるいは別の方法として、シェービングセッション中に使用される製品に関する推奨を受け取る場合がある。例えば、ユーザは、将来のシェービングセッション中に使用するための異なるハンドル１０またはシェーバ１００の推奨、またはカスタマイズされたハンドル１０またはシェーバ１００の推奨を受け取ることができる。ユーザは、異なるかみそりカートリッジ２００、ブレード１０９、または他のシェービングアクセサリ、例えばシェービングクリームまたはジェル、シェービングオイル、アフターシェーブ、保湿剤、ローション、および／またはブラシに関する推奨を受け取ることができる。
【００５９】
提供される推奨は、ユーザに固有のもの、および／またはユーザによって剃られる領域に固有のものとすることができる。例えば、ユーザの体の第１部分を剃るとき、１組の推奨が提供され、ユーザが自分の体の第２部分を剃るときに別の推奨のセットが提供されてもよい。例えば、ユーザの顔の異なる領域は、ユーザの身体の異なる領域と見なされる場合がある。または、この方法の目的のために、体の異なる部分（たとえば、脇の下と脚）は、ユーザの体の異なる領域と見なされる場合がある。
【００６０】
当業者は、ステップ３０３および３０４が任意の適切な順序で実行されてもよく、および／または任意の適切な回数繰り返されてもよいことを認識するであろう。あるいは、図３の方法からステップ３０３または３０４のいずれかを省略してもよく、たとえば、フィードバックのみを提供したり、推奨のみをユーザに提供したりできる。
【００６１】
シェービングプロセス中、シェービングシステムは、図４に示されるステップを実行してもよい。ユーザが剃毛を開始すると、シェーバ１００のセンサ２０はデータの検出を開始することができる（ステップ４００）。このデータは、シェーバ１００上のセンサ２０から分析のためにプロセッサに送信されてもよい（ステップ４０１）。プロセッサは、シェーバ１００、ハンドル１０、ハンドル１０に嵌めるスリーブ、スマートフォン、コンピュータ、または任意の他の適切なコンポーネントに配置されてもよい。プロセッサは、ステップ４０２で、センサからのデータを分析するように構成されたソフトウェアをロードすることができる。分析に基づいて、プロセッサは、ステップ４０３で、シェービングセッション中にユーザによって利用されるグリップを決定してもよい。ユーザによっては、単一のシェービングセッション中に複数のグリップが使用される場合がある。この場合、グリップのすべての種類を決定し、最も一般的なグリップを決定し、かつ／または特定の剃毛動作を示すときおよび／または特定の領域を剃毛するときに使用するグリップの種類を決定することができる。
【００６２】
いくつかの実施形態では、プロセッサは、データベースに保存されたデータを分析するように構成することもでき、これには、たとえば、ユーザプロファイルからの情報またはユーザが入力した他の情報（たとえば、ユーザの毛の種類、ユーザの体型、ユーザの剃毛の好み、および／または以前に取得したユーザの身体領域の画像）が含まれてもよい。
【００６３】
次に、ステップ４０４で、シェービングセッション中にユーザが利用する１つのグリップおよび／または複数のグリップに関するフィードバックをユーザに提供することができる。シェービング時にハンドル１０に加えられる力の量、シェービング時のシェーバ１００の速度および／または向き、または任意の他の適切な剃毛動作に関するフィードバックをさらに提供することができる。いくつかの態様では、ユーザがシェービングセッションに利用したシェーバ１００の種類および／またはハンドル１０の種類に基づいて、ならびに／あるいは示された剃毛動作に基づいて、人間工学的利点または潜在的な人間工学的問題に関してフィードバックを提供することができる。追加情報、例えば、シェービングストロークの速度または長さ、シェービングセッション中にユーザによって加えられる圧力の量、または他の適切なフィードバックも提供され得る。
【００６４】
フィードバックは、複数のシェービングセッションから収集された情報に基づいて提供されることもある。例えば、シェービングセッションにわたるユーザのグリップの変化、ユーザのシェービングセッションおよび／または剃毛結果が経時的にシェーバ１００および／または使用されるハンドル１０の変化に基づいてどのように改善されたか、使用される剃毛動作、ならびに／あるいは他の剃毛特性または経時的に使用されるアクセサリに基づいてフィードバックが提供され得る。
【００６５】
代替として、または追加として、ステップ４０５で推奨がユーザに提供されてもよい。提供される推奨は、１つ以上のシェービングセッション中にユーザが利用するグリップの種類に少なくとも部分的に基づいている場合がある。提供される推奨には、ハンドル１０を保持する別の方法、ユーザシェービングストロークの速度、位置、および／または長さの変化、ユーザがハンドル１０に加える圧力の変化、ユーザがかみそりカートリッジ２００および／またはブレード１０９を交換する頻度、ならびに／あるいは他の適切な動作変化が含まれてもよい。ユーザが将来のシェービングセッションで使用する必要がある製品に関する推奨も提供される場合がある。例えば、この方法は、剃毛中にユーザが利用する異なるハンドル１０またはシェーバ１００の推奨、またはシェービングの楽しさおよび／または結果を改善するためにユーザが利用するカスタマイズされたハンドル１０またはシェーバ１００の推奨を提供することを含み得る。異なるかみそりカートリッジ２００、ブレード１０９、または他のシェービングアクセサリ、例えばシェービングクリームまたはジェル、シェービングオイル、アフターシェーブ、保湿剤、ローション、および／またはブラシについての推奨もユーザに提供することができる。
【００６６】
提供される推奨は、ユーザに固有のもの、および／またはユーザによって剃られる領域に固有のものとすることができる。たとえば、ユーザの体のさまざまな領域が剃られている場合、さまざまな推奨セットが提供されることがある。例えば、ユーザの顔の異なる領域は、ユーザの身体の異なる領域と見なされてもよく、または異なる身体部分（例えば、脇の下と脚）は、目的のためにユーザの体の異なる領域と見なされてもよい。
【００６７】
当業者は、ステップ４０４および４０５が任意の適切な順序で実行されてもよく、および／または任意の適切な回数繰り返されてもよいことを認識するであろう。あるいは、図４の方法からステップ４０４または４０５のいずれかを省略しれてもよく、たとえば、フィードバックのみを提供したり、推奨のみを提供したりできる。
【００６８】
本開示の多くの特徴および利点は、詳細な明細書から明らかであり、したがって、添付の特許請求の範囲は、本開示の真の精神および本開示の範囲内にあるそのような特徴および利点をすべて包含するものとする。さらに、多数の変更および変形が当業者には容易に思い浮かぶので、本開示を図示および説明した正確な構造および動作に限定することは望ましくなく、したがって、すべての適切な変形および等価物は、本開示の範囲内で、利用可能であってもよい。
【００６９】
さらに、当業者は、本開示の基礎となる概念が、本開示のいくつかの目的を実行するための他の構造、方法、およびシステムを設計するための基礎として容易に使用できることを理解するであろう。したがって、特許請求の範囲は、前述の説明によって限定されると見なされるべきではない。
【図１】
2020527061.tif 000003
【図２−１】
2020527061.tif 000004
【図２−２】
2020527061.tif 000005
【図２−３】
2020527061.tif 000006
【図２−４】
2020527061.tif 000007
【図３】
2020527061.tif 000008
【図４】
2020527061.tif 000009
【国際調査報告】
2020527061.tif 000010
2020527061.tif 000011
2020527061.tif 000012